【手続補正書】
【提出日】平成15年6月17日(2003.6.17)
【手続補正１】
【補正対象書類名】明細書
【補正対象項目名】発明の名称
【補正方法】変更
【補正の内容】
【発明の名称】光記録媒体に情報を記録するための方法及び装置


【手続補正２】
【補正対象書類名】明細書
【補正対象項目名】特許請求の範囲
【補正方法】変更
【補正の内容】
【特許請求の範囲】
【請求項１】
少なくとも記録層を備える光記録媒体にクロックに基づいて種々の長さの記録マークを情報として記録する方法であって、
ｎクロック（ｎは整数）分に相当する記録信号として、ｎＴ（Ｔはチャネルビット長）よりも短い長さの記録マークを光記録媒体上に形成することを含む光記録媒体の記録方法。
【請求項２】
ｎに応じて、ｎＴに対する記録マークの短さを変化させる請求項１に記載の記録方法。
【請求項３】
上記ｎクロック分に相当する記録信号を、それより短い記録信号に変換し、変換後の記録信号に基づいてｎＴよりも短い長さの記録マークを光記録媒体上に形成する請求項１に記載の光記録媒体の記録方法。
【請求項４】
少なくとも１クロック分の記録信号を上記ｎクロック分に相当する記録信号から除去することによりｎクロック分に相当する記録信号を短くする請求項１に記載の記録方法。
【請求項５】
少なくとも１クロック分の記録信号を上記ｎクロック分に相当する記録信号から除去することによりｎクロック分に相当する記録信号を短くする請求項３に記載の記録方法。
【請求項６】
少なくとも１クロック分の記録信号を上記ｎクロック分に相当する記録信号の前側及び後側からそれぞれ除去することによりｎクロック分に相当する記録信号を短くする請求項３に記載の記録方法。
【請求項７】
光記録媒体が、光磁気記録媒体である請求項１に記載の記録方法。
【請求項８】
光磁気記録媒体が、磁気記録層と再生層とを備え、再生時に光スポットの照射及び磁界の印加により磁気記録層に記録された記録マークが再生層に拡大された形で転写される光磁気記録媒体である請求項７に記載の記録方法。
【請求項９】
さらに、光照射の下、上記クロックに同期して再生磁界を変調して上記光磁気記録媒体に印加させながら情報を再生することを含む請求項７に記載の記録方法。
【請求項１０】
上記再生において１クロック当たりの光のスポットの光磁気記録媒体上での走査距離がＴであり、上記ｎＴよりも短い長さの記録マークがｎクロック分の記録マークとして再生される請求項８に記載の記録方法。
【請求項１１】
種々の長さの記録マークがクロックに基づいて情報として形成された光記録媒体を再生する方法であって、
ｎクロック（ｎは整数）分に相当する記録信号としてｎＴ（Ｔはチャネルビット長）よりも短い長さの記録マークが形成された光記録媒体を用い、
再生光照射の下で、上記クロックに同期して情報を再生する光記録媒体の再生方法。
【請求項１２】
ｎクロック分に相当する記録信号を、それより短い記録信号に変換し、変換後の記録信号に基づいてｎＴよりも短い長さの記録マークを光記録媒体上に形成する請求項１１に記載の光記録媒体の再生方法。
【請求項１３】
光記録媒体が光磁気記録媒体であり、磁気記録層と再生層とを備え、再生時に光スポットの照射及び磁界の印加により磁気記録層に記録された記録マークが再生層に拡大された形で転写される光磁気記録媒体である請求項１２に記載の再生方法。
【請求項１４】
上記再生において１クロック当たりの光のスポットの光記録媒体上での走査距離がＴであり、上記ｎＴよりも短い長さの記録マークがｎクロック分の記録マークとして再生される請求項１１に記載の再生方法。
【請求項１５】
ｎに応じて、ｎＴに対する記録マークの短さを変化させる請求項１１に記載の再生方法。
【請求項１６】
光記録媒体の記録装置であって、
クロック発生回路と；
ｎクロック（ｎは整数）分に相当する記録信号としてｎＴ（Ｔはチャネルビット長）よりも短い長さの記録マークが光記録媒体上に形成されるように記録信号長を補正する記録長補正回路と；
上記記録長補正回路からの出力に基づいて光記録媒体に光及び磁界の少なくとも一方を変調して適用する適用装置と；を備える記録装置。
【請求項１７】
記録長補正回路は、マーク長さに相当する符号長をより短い符号長に変換するマーク長補正回路を含む請求項１６に記載の記録装置。
【請求項１８】
上記マーク長補正回路は、マーク長が短くなるような符号変換テーブルを含む請求項１７に記載の記録装置。
【請求項１９】
上記マーク長補正回路は、ｎに応じてｎＴに対する記録マークの短さを変化させる請求項１８に記載の記録装置。
【請求項２０】
記録長補正回路は、さらに、アドレス検索メモリと、マーク長識別回路と、マーク長補正回路により補正されたマーク長さを記憶するメモリとを含む請求項１７に記載の記録装置。
【請求項２１】
上記記録媒体は、光磁気記録媒体であり、上記適用装置は、光照射装置及び磁界印加装置を有し、上記磁界印加装置は上記記録長補正回路からの補正された記録信号に基づいて光磁気記録媒体に磁界を印加する請求項１６に記載の記録装置。
【請求項２２】
さらに、データ変調器を備える請求項２１に記載の記録装置。
【請求項２３】
さらに、データ復調器及び光記録媒体からの反射光を検出する検出器を備えることにより、情報の再生が可能な請求項２２に記載の記録装置。
【請求項２４】
データ復調器は、光記録媒体上に記録されたｎＴよりも短い長さの記録マークをｎクロック分の信号として復調する請求項２３に記載の記録装置。
【請求項２５】
情報再生時に、磁界印加装置により再生磁界が光磁気記録媒体に印加される請求項２４に記載の記録装置。
【請求項２６】
上記光磁気記録媒体が、磁気記録層と再生層とを備え、再生時に光照射及び磁界の印加により磁気記録層に記録された記録マークが再生層に拡大された形で転写される光磁気記録媒体である請求項２５に記載の記録装置。
【手続補正３】
【補正対象書類名】明細書
【補正対象項目名】発明の詳細な説明
【補正方法】変更
【補正の内容】
【発明の詳細な説明】
【０００１】
【発明の属する技術分野】
本発明は、レーザ光を用いて光学的記録媒体に情報を記録再生する光学的情報の記録方法、記録再生方法、再生方法及びこれらの方法を実施する装置に関する。
【０００２】
【従来の技術】
レーザ光を用いて光記録媒体の情報トラック上に情報マークを記録し、この情報マークの有無に応じた光学的な変化を検出して情報を再生する光情報記録再生装置では、絞り込みレンズを用いてレーザ光を光記録媒体上に出来るだけ小さく集光する。この手段により光記録媒体上に形成される光スポットの最小の直径は、レーザ光の波長λと絞り込みレンズの開口数ＮＡによって略λ／ＮＡで規定される。一方、光記録媒体の記録密度を向上させるためには、光スポット走査方向の情報マークの配列間隔（マークピッチ）と、情報マークが記録されるトラック間隔（トラックピッチ）を小さくする必要がある。しかし、マークピッチやトラックピッチが光スポット径よりも小さくなると、光スポットが１つの情報マークを照射したときに周囲の他の情報マークの一部も同時に照射してしまい、再生すべき情報マークの信号に周囲の情報マークの信号が漏れ込むという問題が起こる。この漏れ込みはノイズ成分として干渉し、再生の精度を低下させる。このように特定の波長のレーザと絞り込レンズを備えた系では周囲の情報マークの信号の漏れ込みが高密度化の大きな支障となる。
【０００３】
上記の問題を解決し、マークピッチとトラックピッチを小さくする手段として、磁気拡大転写方式（特開平８−７３５０号公報）がある。磁気拡大転写方式によれば、光と磁界を変調して記録信号を再生すると微小磁区を拡大して信号量を本質的に増加させることができる。すなわちＳ／Ｎを大幅に改善できるので、マークピッチを小さくしても十分な再生の精度が得られる。また、再生後瞬時に拡大した磁区を消去することができるので再生のクロストークも大幅に改善できる。したがって、トラックピッチを小さくしても十分な再生の精度が得られる。
【０００４】
特開平１０−９２０３６号公報には、これとは原理が異なる記録再生方法として、再生時に磁界の印加は行わず、光ビームの照射による媒体磁区に対する温度勾配を利用し、記録層の記録データを変化させることなく再生層の記録マークの磁壁を移動させ、光ビームの回折限界以下の記録マークの再生を行うものが記載されている。この再生方法では記録マーク拡大方向への磁壁移動時と縮小方向への磁壁移動時とで移動タイミングがずれ、記録マークに相当する時間が常に一定時間短く検出されるという問題があるため、記録マーク長を長く調整して記録することにより問題を解決している。
【０００５】
特開昭６３−２８１２２９号公報、特開平４−２６５５２２号公報には、微小磁区の記録再生とは関係しないが、記録マークのエッジ位置の補正に関して記載されており、マークのエッジ位置が本来記録されるべき位置からずれてしまうという問題をマーク長に応じて記録に用いるレーザ光パルスを補正することにより解決している。
【０００６】
【発明が解決しようとする課題】
上記磁気拡大転写方式（以下、ＭＡＭＭＯＳと呼ぶ）では、情報再生時において記録してあるマーク長によって最適の光パワーと最適の磁界強度が異なってしまい、数種の長さのマーク列として記録されているデータを精度良く再生することができないという問題が生じる。以下この問題について説明する。ＭＡＭＭＯＳの記録再生評価には、波長λ＝６８０ｎｍのレーザと、ＮＡ＝０．５５の絞り込レンズを用い、チャネルビット長Ｔ＝０．４μｍのＮＲＺ変調を施した。なお、チャネルビット長とは、記録媒体上の単位ビットあたりの長さであり、セクタなどのように記録媒体上に所定のビット数毎に区切られた記録単位毎にデータを記録する時、媒体上での記録単位の長さをその記録単位に記録できるビット数で割ったものに等しい。以下の説明では、記録マーク長は１Ｔ、２Ｔ及び３Ｔの３種類とした。マーク長がスポット径（＝λ／ＮＡ＝１．２４μｍ）よりも長くなるとＭＡＭＭＯＳ再生時の特性に差が見られなくなるので、４Ｔ以上のマーク長に関しては説明を省略する。光磁気記録媒体の記録方式としては光変調方式、磁界変調方式、光磁界変調方式などが既に提案されており、今回は精度良く微小マークを形成することができる光磁界変調方式を選択した。図７に示したように光磁界変調方式では記録時の記録光パワー２０４は一定の周期で変調され、ｎＴ（ｎは自然数）長マークは、この周期に同期した＋Ｈｗの磁界をｎＴの間印加することで記録される。例えば１Ｔマークと１Ｔギャップの周期を順次記録したい場合、図中の１Ｔ周期記録時印加磁界３００のようになり、同様に２Ｔマークと２Ｔギャップの周期を順次記録したい場合、３Ｔマークと３Ｔギャップの周期を順次記録したい場合は、それぞれ図中の２Ｔ周期記録時印加磁界３０１、３Ｔ周期記録時印加磁界３０２のようになる。これら光パワーの変調や磁界の印加時の波形はクロック信号１１３に基づいて生成され、このクロック信号１１３は記録媒体に予め形成されているクロックピットに同期した信号を出力する従来の同期信号発生回路（ＰＬＬ）で生成される。例えば、今回生成したクロック信号１１３の１周期は０．１μｍに相当するので、１Ｔ長（＝０．４μｍ）のマークを記録する場合にはクロック信号４周期間で印加磁界を＋Ｈｗとし、１Ｔ長（＝０．４μｍ）のギャップを設けたい場合にはクロック信号４周期間で印加磁界を−Ｈｗとする。同様に２Ｔ長（＝０．８μｍ）のマークを記録する場合にはクロック信号８周期間で印加磁界を＋Ｈｗとし、３Ｔ長（＝１．２μｍ）のマークを記録する場合にはクロック信号１２周期間で印加磁界を＋Ｈｗとすればよく、２Ｔ長（＝０．８μｍ）のギャップを設けたい場合にはクロック信号８周期間で印加磁界を−Ｈｗとし、３Ｔ長（＝１．２μｍ）のギャップを設けたい場合にはクロック信号１２周期間で印加磁界を−Ｈｗとすればよい。
【０００７】
再生時には、図６に示したようにほぼ一定パワーＰｒの再生光パワー２０５を媒体に照射し、かつクロック信号１１３に同期した磁界強度±Ｈｒの再生磁界２０６を印加して再生信号１０４を得る。但し、再生光パワー２０５が最適値のＰｒよりも小さかったり、再生磁界２０６が最適値のＨｒよりも小さかったりする場合には、再生信号に誤りが生じてしまい、例えば図中に示した誤再生信号１０４−１〜１０４−３が得られてしまう。また、再生光パワー２０５が最適値のＰｒよりも大きかったり、再生磁界２０６が最適値のＨｒよりも大きかったりする場合にも同様に再生信号に誤りが生じてしまい、例えば図中に示した誤再生信号１０４−４〜１０４−６が得られてしまう。
【０００８】
図７は、再生信号１０４のように誤りのない再生信号を得ることができる再生光パワー２０５と再生磁界２０６の磁界強度の組み合わせを調べた結果である。１Ｔマークと１Ｔギャップの周期を順次記録した場合に、誤りのない再生信号を得ることができるＰｒとＨｒは、図７中に”１”で示した組み合わせになった。同様に、２Ｔマークと２Ｔギャップの周期を順次記録した場合、及び３Ｔマークと３Ｔギャップの周期を順次記録した場合は、各々”２”、”３”で示した。この結果から誤りのない再生信号を得ることができるＰｒとＨｒはマークの長さの関数であることがわかる。ユーザのデータは数種の長さのマークからなるマーク列として記録されているので、全ての長さのマークに対して安定して誤りのない再生信号を得ることができるようにＰｒとＨｒの組み合わせを選択する必要がある。しかし、図７から明らかなように全てのマーク長に対応できるＰｒとＨｒは存在せず、このままでは再生時の信頼性を確保できないという問題が生じる。
【０００９】
なお、従来の技術の欄で述べた特開平１０−９２０３６号では、再生磁界を印加せず磁壁移動によって再生を行っているため、本発明とは原理が異なり、このような課題は開示も示唆もされていない。
【００１０】
本発明の目的は、上記問題点を解決するために、再生時にマークとして検出されるべきクロック数に係わらず安定したデータ再生を行うことができる記録方法、記録再生方法、再生方法を提供し、同時に本発明の方法を実現するための装置を提供することにある。
【００１１】
【課題を解決するための手段】
本発明の第１の態様に従えば、少なくとも記録層を備える光記録媒体にクロックに基づいて種々の長さの記録マークを情報として記録する方法であって、
ｎクロック（ｎは整数）分に相当する記録信号として、ｎＴ（Ｔはチャネルビット長）よりも短い長さの記録マークを光記録媒体上に形成することを含む光記録媒体の記録方法が提供される。上記ｎクロック（ｎは整数）分に相当する記録信号を、それより短い記録信号に変換し、変換後の記録信号に基づいてｎＴよりも短い長さの記録マークを光記録媒体上に形成し得る。
【００１２】
本発明の原理を、図５を用いて従来の記録方法との比較において説明する。なお、記録媒体として光磁気記録媒体を用い、光磁気記録媒体に一定周期のパルス光を照射しつつ記録信号に基づいて変調した磁界を印加する光磁界変調方式を採用した。また、記録符号の変調方式はＮＲＺ変調を用いた。
【００１３】
図５に示したように、従来方式ではｎＴ長さのマークを記録する場合には、記録磁界２１１をｎＴの間だけ＋Ｈｗとし、マークを記録しない部位では記録磁界を−Ｈｗとしていた。しかし、前述したようにこの記録方式では全てのマーク長に対応できる再生パワーＰｒと印加磁界Ｈｒは存在せず、再生時の信頼性を確保できなかった。一方、本発明による記録方式では、図５に示したような各マーク長毎にマーク長補正量Ｌｃを設けてマーク長さを短くする。例えば、１Ｔマーク用の補正量をＬｃ１、２Ｔマーク用の補正量をＬｃ２、３Ｔマーク用の補正量をＬｃ３とする。このとき本方式によって１Ｔマークを記録する場合には、記録磁界２０４を１Ｔ’（＝１Ｔ＋２Ｌｃ１）の間だけ＋Ｈｗとし、マークを記録しない部位では記録磁界を−Ｈｗとする。すなわち、１Ｔマークは、１Ｔの長さとして記録されるのではなく、１Ｔ’の長さとして記録されることになる。なお、記録磁界２０５中の破線は従来の記録波形を示す。同様に、記録される２Ｔマーク及び３Ｔマークはそれぞれ２Ｔ’及び３Ｔ’の長さとして記録され、２Ｔ’＝２Ｔ＋２Ｌｃ２、３Ｔ’＝３Ｔ＋２Ｌｃ３である。４Ｔ長以上のマークも全く同様にマーク長さが補正される。ｎＴのマークに対するマーク長補正量Ｌｃｎは、媒体の特性や構造、再生パワー、印加磁界などにより正・０・負の何れの値をとるかが変わるが、少なくとも１つのｎに対して０でない値を取る。
【００１４】
なお、従来の技術の欄で述べた特開昭６３−２８１２２９号及び特開平４−２６５５２２号はともに記録マークのエッジ位置の補正を行っているが、これらは１Ｔのマークを記録しようとしたときに媒体上に１Ｔの長さのマークが形成されるように記録波形の補正を行っているため、ｎＴとは長さを異ならせて記録する本発明とは異なる。
【００１５】
以上の説明では、情報を記録再生する方式として光磁界変調方式を、記録符号にＮＲＺ変調を例にとったが、記録再生方式として光変調方式や磁界変調方式を用いてもよく、また記録符号もＮＲＺ変調だけに限るわけではなく、例えば１−７変調や８／１６変調を用いてもよい。
【００１６】
本発明に従い情報を記録する際に各マーク長ｎＴをマーク長毎に定められたマーク長補正量Ｌｃで補正したマーク長ｎＴ’として記録した場合の効果について、図８を用いて説明する。図８の上段の図は、各マーク長に対して一律のマーク長補正量Ｌｃ＝−０．１μｍを加えた以外は図７の上段の図に示したのと同様の記録及び再生条件を示す。図８の下段の図には、図８の上段の図の条件下で、良好な再生信号が得られる再生パワーＰｒと印加磁界Ｈｒの関係をマーク長毎に示す。但し、記録光パワー２０３の強度Ｐｗと補正後記録磁界２０４の強度Ｈｗは、従来記録磁界２１１（図５参照）で記録した１Ｔマークと１Ｔギャップの周期パターンを再生して誤り無く再生できる再生光パワー２０５と再生磁界２０６の組み合わせが最も多くなるように設定されている。Ｌｃ＝−０．１μｍとしたので、１Ｔの実質マーク長は０．２μｍで、２Ｔの実質マーク長は０．６μｍ、３Ｔの実質マーク長は１μｍである。図７と図８を比較すると、各マーク長に関してはＬｃ＝−０．１μｍを加えたほうが誤り無く再生できるＰｒとＨｒの組み合わせが増加していることがわかる。これは、記録マークのマーク長を短くすることにより、ギャップを隔てて隣接する別の記録マークからの漏洩磁界が小さくなり、その結果、再生すべき記録マークからの再生信号のエラーが低減されたためであると考えられる。但し、Ｌｃを加えない場合と同様に、全てのマーク長に対応できるＰｒとＨｒは存在しない。
【００１７】
図９は、各マーク長に対して一律のマーク長補正量Ｌｃ＝−０．２μｍを加えた場合の記録及び再生条件並びにその測定結果である。ＰｗとＨｗは図８と同様である。Ｌｃ＝−０．２μｍとしたので、１Ｔの実質マーク長は０．１μｍで、２Ｔの実質マーク長は０．５μｍ、３Ｔの実質マーク長は０．９μｍである。２Ｔと３Ｔのマーク長に関してはＬｃ＝−０．２μｍを加えたほうが、誤りの無い再生信号が得られるＰｒとＨｒの組み合わせが増加している。しかし、１Ｔのマーク長に関しては誤り無く再生できるＰｒとＨｒの組み合わせが存在しない。
【００１８】
以上の結果から、２Ｔ長以上のマークに関してはＬｃ＝−０．１μｍとした場合に誤りの無い再生信号が得られるＰｒとＨｒの組み合わせが増加し、１Ｔ長のマークではＬｃ＝−０．２μｍとした場合に誤りの無い再生信号が得られるＰｒとＨｒの組み合わせが増加することがわかる。それゆえ、マークを記録する際にマークの長さに応じてマーク長補正量Ｌｃを変化させることが好ましい。
【００１９】
図１０は、１Ｔ長のマークを記録する際にはＬｃ＝−０．１μｍを加え、２Ｔ以上のマークを記録する際にはＬｃ＝−０．２μｍを加えた場合の記録及び再生条件並びに誤りの無い再生信号が得られる再生パワーＰｒと印加磁界Ｈｒの関係をマーク長毎に測定した結果である。図７〜図９の結果では全てのマーク長に対応できるＰｒとＨｒの組み合わせが全く無かったが、図１０の結果では複数個存在することが分かる。この理由は以下のように考えられる。再生すべき記録マークにギャップを隔てて隣接する別の記録マークから漏洩が発生しており、この漏洩磁界は別の記録マークのマーク長さが長いほど大きい。このため、記録マークの長さが長くなるに従ってマーク長補正量Ｌｃを大きくして記録することによって、再生すべき記録マークに隣接する別の記録マークから当該記録マークに及ぼす漏洩磁界を減らすことができ、それによって当該記録マークからの再生信号エラーを低減することができる。
【００２０】
このように、マークを記録する最にマークの長さに応じてマーク長補正量Ｌｃを変化させる本発明における情報記録再生方式を用いれば、全ての長さのマークに対して誤りの無い再生信号が得られるＰｒとＨｒの組み合わせを選択することができ、その結果、再生時の信頼性を十分に確保できる。
【００２１】
本発明の方法において、全ての長さのマークに対して誤りの無い再生信号が得られるＰｒとＨｒの組み合わせが１つでも存在すれば同じ再生条件による再生が可能であるが、組み合わせの数が最も多くなるように、ｎに応じて最適なＬｃを選べば再生条件のマージンが広がる。
【００２２】
以上は、記録時パラメータＰｗとＨｗが既に定められた条件下での結果であるが、ＰｗとＨｗが最適化されていない場合、予め設定されている初期値からある一定の刻み間隔でＰｗとＨｗを逐次変化させながら、上記と同様に各マーク長に対して各々最適のＬｃを求め、誤りの無い再生信号が得られるＰｒとＨｒの組み合わせの数が最も多くなるＰｗとＨｗを採用すればよい。
【００２３】
本発明の記録方法によれば、種々のマーク長さを確実に再生するための再生磁界強度及び再生光強度に関するマージンが広がる。それゆえ、再生時に光及び磁界を印加するタイプの光記録媒体、例えば光磁気記録媒体に適用するのが有効である。特に、磁気記録層と再生層とを備え、再生時に光スポットの照射及び磁界の印加により磁気記録層に記録された記録マークが再生層に拡大されて形で転写される光磁気記録媒体に使用するのが一層有効である。また、磁気超解像（ＭＳＲ）方式で再生を行う光磁気記録媒体にも有効である。
【００２４】
本発明の第２の態様に従えば、種々の長さの記録マークがクロックに基づいて情報として形成された光記録媒体を再生する方法であって、
ｎクロック（ｎは整数）分に相当する記録信号としてｎＴ（Ｔはチャネルビット長）よりも短い長さの記録マークが形成された光記録媒体を用い、
再生光照射の下で、上記クロックに同期して情報を再生する光記録媒体の再生方法が提供される。
【００２５】
この再生方法では、第１の態様に従って種々のマーク長で記録された光記録媒体、好ましくは光磁気記録媒体を、広い再生マージンで確実に再生することができる。特に、光記録媒体が光磁気記録媒体であり、磁気記録層と再生層とを備え、再生時に光スポットの照射及び磁界の印加により磁気記録層に記録された記録マークが再生層に拡大された形で転写される光磁気記録媒体である場合に、十分な再生光及び再生磁界のパワーマージンを確保して種々の長さの記録マークを高Ｃ／Ｎで再生することができる。
【００２６】
本発明の第３の態様に従えば、光記録媒体の記録装置であって、
クロック発生回路と；
ｎクロック（ｎは整数）分に相当する記録信号としてｎＴ（Ｔはチャネルビット長）よりも短い長さの記録マークが光記録媒体上に形成されるように記録信号長を補正する記録長補正回路と；
上記記録長補正回路からの出力に基づいて光記録媒体に光及び磁界の少なくとも一方を変調して適用する適用装置と；を備える記録装置が提供される。
【００２７】
本発明の記録装置の記録長補正回路は、前述のマーク長ｎＴをマーク長補正量Ｌｃで補正することを行う。記録長補正回路は、マーク長さに相当する符号長をより短い符号長に変換するマーク長補正回路を含み得る。上記マーク長補正回路は、マーク長が短くなるような符号変換テーブルを含み得る。
【００２８】
上記マーク長補正回路は、ｎに応じてｎＴに対する記録マークの短さを変化させることができる。これにより、ｎが異なるマークに対しても再生条件（例えば、再生光強度及び再生磁界強度）を変更することなく再生が可能となる。記録長補正回路は、さらに、アドレス検索メモリと、マーク長識別回路と、マーク長補正回路により補正されたマーク長さを記憶するメモリとを含み得る。
【００２９】
記録装置は、さらに、データ変調器、データ復調器及び光記録媒体からの反射光を検出する検出器を備えることにより、情報の再生を行うことができる。すなわち、本発明の記録装置は記録及び再生装置として機能し得る。この場合、情報再生時に、磁界印加装置は再生磁界を光磁気記録媒体に印加し得る。データ復調器は、光記録媒体上に記録されたｎＴよりも短い長さの記録マークをｎクロック分の信号として復調し得る。
【００３０】
【発明の実施の形態】
以下、本発明に係る光学的情報記録再生方法及び装置を、図面に記載した実施例を参照してさらに詳細に説明する。なお、以下においては、同じ参照番号は同じものもしくは類似のものを表わすものとする。
【００３１】
（装置の概要）
図１は、本発明に係る光情報記録再生装置の概略構成図である。
【００３２】
この光情報記録再生装置は、駆動装置１０１に搭載されて回転する光記録媒体１００と、情報を記録するあるいは記録された情報を再生するときに、光スポット１０７を光記録媒体１００上に照射する光ヘッド１０２と、情報を記録するあるいは記録された情報を再生するときに、磁界を光記録媒体１００上に照射する磁気ヘッド１０３と、光スポット１０７と磁気ヘッド１０３の位置決めを実行する位置決め回路１０５と、光スポット１０７がトラックを走査することで得られる再生信号１０４に基づき光記録媒体１００の回転に同期したクロック信号１１３を発生する同期信号発生回路１１２と、記録時に記録すべきユーザデータ１１８をあらかじめ定められた変調方式にしたがって変調して出力するデータ変調回路１１９と、記録時にデータ変調回路１１９から出力された符号化信号１２０に基づいて符号長を補正する記録長補正回路１２１と、記録時には記録長補正回路１２１から出力された記録信号１２２と上記クロック信号１１３に基づいて印加磁界制御信号１１７を発生し、再生時には上記クロック信号１１３に基づいて図示しない再生クロックを生成し、印加磁界制御信号１１７を発生して磁気ヘッド１０３を駆動する磁気ヘッド駆動回路１１６と、記録時には上記クロック信号１１３に基づいて光ヘッド１０２から出力される光強度変調信号１１５を生成し、再生時には一定の光パワーが光ヘッド１０２から出力されるように光強度変調信号１１５を生成して光ヘッド１０２を駆動するレーザ駆動回路１１４と、再生時に光スポット１０１がトラックを走査することで得られる再生信号１０４を２値化する２値化回路１０８と、２値化回路１０８から出力された２値化信号１０９に基づき復調処理やエラー訂正を施して再生データ１１１を出力するデータ復調回路１１０と、上記各回路を制御する制御回路１２３から構成される。
【００３３】
（光記録媒体）
本実施例では、回転に同期したクロック信号１１３を生成することを目的に、少なくともクロックピットが予め形成されており、かつ情報を記憶する領域のディスク上の位置を表すアドレスピットが予め形成されている光記録媒体を用いる。
【００３４】
（記録長の補正）
図１に示した概略図において本発明の特徴である記録長補正回路１２１について説明する。  図２に示したように、記録長補正回路１２１はマーク識別回路１５０とマーク長補正回路１５３とメモリ回路１５５からなる。マーク識別回路１５０は、アドレス検索記憶メモリ１６０とマーク長識別回路１６１からなる。アドレス検索記憶メモリ１６０は検索モードとホールドモードがあり、検索モードでは、符号化信号１２０の検索を始めてから最初に符号’１’が現われたアドレスを記憶する。このアドレスは検出した該符号’１’が符号化信号１２０の先頭から何番目の位置にあるかを示す。アドレス検索記憶メモリ１６０はアドレスを記憶すると同時にホールドモードに移行し、次の符号’１’が現われてもアドレスを記憶することはない。符号化信号１２０に含まれる連続する符号’１’の長さがマーク長に対応するので、アドレス検索記憶メモリ１６０によりマークの先頭アドレスを検出することができる。一方、マーク長識別回路１６１は符号化信号１２０に含まれる連続した符号’１’の数をカウントし、マーク長を識別する。カウントが終了するとマーク長識別回路１６１は、カウント終了信号１６２にパルスを出力し、またカウントした結果をマーク長信号１５２として出力する。アドレス記憶メモリ１６０はカウント終了信号１６２のパルスを検出すると、記憶していたアドレスをマーク先頭アドレス１５１として出力し、再び検索モードに移行して次に現われるマークの先頭アドレスを検索し、マーク長識別回路１６１は次に現われるマークの長さをカウントする。
【００３５】
マーク長補正回路１５３は、例えば図３に示したような変換テーブルで構成される。マーク長信号１５２が’１Ｔ’の場合、マーク長補正後の’０１１０’という系列が選択され、同様にマーク長信号１５２が’２Ｔ’の場合、’００１１１１００’という系列が選択され、マーク長信号１５２が’３Ｔ’の場合、’０００１１１１１１０００’という系列が選択される。マーク長信号１５２が’３Ｔ’より大きい場合も全く同様であり説明は省略する。マーク長補正後の系列は、前述したようにマーク長補正前の系列に対してマーク長毎に定められたマーク長補正量によって予め補正されたものである。
【００３６】
ここでは３Ｔと４Ｔについて同じ補正量としているが、これに限定されるわけではなく、再生時に正しく再生できる補正量とすればよい。
【００３７】
メモリ回路１５５は記録長補正回路１２１に入力される符号化信号１２０を記憶できるだけの記憶容量を持ち、符号化信号１２０が入力される前はメモリ回路１５５の値は全て’０’に設定される。一般的に符号化信号１２０はある一定の長さで送られてくるものであり、例えばその長さは記録するセクタ長単位である。上記マーク長補正回路１５３はマーク先頭アドレス１５１とマーク長信号１５２に基づいてメモリ回路１５５の特定の位置にマーク長補正後の系列を書き込む。図４に示したようにマーク先頭アドレス１５１が’ａ’でとマーク長信号１５２が’４’の場合、マーク長補正回路１５３はメモリ回路１５５のアドレス’ａ’から順にマーク長補正後信号１５４として’０１１０’を書き込む。同様に、マーク先頭アドレス１５１が’ｂ’でマーク長信号１５２が’８’の場合、マーク長補正回路１５３はメモリ回路１５５のアドレス’ｂ’から順にマーク長補正後信号１５４として’００１１１１００’を書き込み、また、マーク先頭アドレス１５１が’ｃ’でとマーク長信号１５２が’１２’の場合、マーク長補正回路１５３はメモリ回路１５５のアドレス’ｃ’から順にマーク長補正後信号１５４として’０００１１１１１１０００’を書き込む。
【００３８】
情報記録時には、メモリ回路１５５に記憶されている系列を同期信号発生回路１１２が生成するクロック信号１１３に同期させながらアドレス’０’から順に記録信号１２２として出力する。
【００３９】
（光スポットと磁気ヘッドの位置決め）
光スポットと磁気ヘッドの位置決め装置を図１を用いて説明する。情報を記録あるいは再生する場合、制御回路１２３は目的の記録領域へ光スポット１０７と磁気ヘッド１０３を位置づけるように、位置決め回路１０５へ位置づけ指令信号１２６を送る。位置決め回路１０５はこの位置づけ指令信号１２６に基づいて目標信号１０６を生成し、光ヘッド１０２と磁気ヘッド１０３を目的の記録領域に位置づける。このとき、制御回路１２３は再生命令信号１２５もオンにして出力し、データ復調回路１１０から送られてくる再生データ１１１に基づいて光記録媒体１００上に予め形成されているアドレスを監視する。制御回路１２３は光スポット１０７と磁気ヘッド１０３が目的位置へ到達したことをアドレスで確認すると、再生命令信号１２５と位置づけ指令信号１２６をオフにする。
【００４０】
（情報の記録）
情報の記録装置を図１を用いて説明する。上記光スポットと磁気ヘッドの位置決め手段により光スポット１０７と磁気ヘッド１０３を位置づけが終了すると、制御回路１２３は記録命令信号１２４をオンにして出力する。記録命令信号１２４がオンになると、データ変調回路１１９はユーザデータ１１８をあらかじめ定められた変調方式にしたがって変調し、その結果として符号化信号１２０を出力する。記録長補正回路１２１に符号化信号１２０が入力されると、前に詳しく述べたように記録長が補正された記録信号１２２が出力される。記録命令信号１２４がオンである場合には磁気ヘッド駆動回路１１６は記録信号１２２をクロック信号１１３に同期させた印加磁界制御信号１１７を出力する。磁気ヘッド１０３はこの印加磁界制御信号１１７に従い、例えば図５に示したような記録磁界２０５を発生する。一方、記録命令信号１２４がオンである場合にはレーザ駆動回路１１４はクロック信号１１３に同期した光強度変調信号１１５を出力し、光ヘッド１０２はこの光強度変調信号１１５に従い、例えば図５に示したような記録光パワー２０４を発生する。この記録光パワー２０４と記録磁界２０５により、図５に示したような情報マーク２００、２０１、２０２が光記録媒体１００に記録される。
【００４１】
（情報の再生）
情報の再生装置を図１を用いて説明する。上記光スポットと磁気ヘッドの位置決め手段により光スポット１０７と磁気ヘッド１０３を位置づけが終了すると、制御回路１２３は再生命令信号１２５をオンにして出力する。再生命令信号１２５がオンである場合には磁気ヘッド駆動回路１１６はクロック信号１１３に基づく再生クロックに同期した印加磁界制御信号１１７を出力する。なお、再生クロックは１クロックあたりの上記光スポットの走査距離がＴとなっている。磁気ヘッド１０３はこの印加磁界制御信号１１７に従い、例えば図５に示したような再生磁界２０７を発生する。一方、再生命令信号１２５がオンである場合にはレーザ駆動回路１１４は一定値の光強度変調信号１１５を出力し、光ヘッド１０２はこの光強度変調信号１１５に従い、例えば図５に示したような再生光パワー２０６を発生する。この再生光パワー２０６と再生磁界２０７により、従来技術で述べたようなＭＡＭＭＯＳ特有の再生信号１０４が発生する。この再生信号１０４は２値化回路１０８で２値化され、再生命令信号１２５がオンである場合にはデータ復調回路１１０は２値化信号１０９に対して復調処理やエラー訂正を施し、再生データ１１１を出力する。
【００４２】
但し、上記の実施例は記録再生方式に光磁界変調方式を採用した場合であり、光変調方式や磁界変調方式を採用した場合でも、本発明によるマーク長補正記録を実施することができる。
【００４３】
図１１は、本発明に係る本発明に係る情報記録装置及び情報記録再生装置の一実施例を示す概略構成図である。光記録媒体１００は種々の長さのマークが記録される媒体である。一例として、データが磁化の向きであらわされるマークとして記録される記録層と、再生時に光スポットの照射及び磁界の印加により記録層に記録されたマークが拡大転写される再生層とを具備するものが挙げられる。
【００４４】
光スポット照射手段４００は光記録媒体１００に光スポット１０７を照射する手段である。磁界印加手段４０１は光記録媒体１００に磁界を印加する手段である。磁界印加手段４０１は変調された磁界を印加することもできる。磁界印加手段４０１は必要に応じて記録時、再生時に磁界を印加する。図示しないマーク形成手段は光スポット照射手段４００と磁界印加手段４０１のどちらか一方もしくは両方を有する。記録時に磁界を印加する必要がない光変調方式の場合にはマーク形成手段は磁界印加手段４０１は有さず、光スポット照射手段４００を有する。データ変調手段４０２は記録するデータを所定の変調規則に基づいて変調する手段である。
【００４５】
マーク長補正手段４０３は、光スポット照射手段４００及び磁界印加手段４０１のうちの少なくとも一方と、データ変調手段４０２との間に設けられている。マーク長補正手段４０３は、チャネルビット長をＴとした時１クロックあたりの上記光スポットの走査距離がＴとなる再生クロックにおいて再生時にマークとして検出されるクロック数がｎクロック分（ｎは少なくとも１つの自然数）であるマークを上記記録層に記録する際に形成されるマークの長さをｎＴとは異なる長さに補正する。図１１ではマーク長補正手段４０３の出力は光スポット照射手段４００と磁界印加手段４０１の両方に入力されているが、これに限定されず、少なくともマーク長補正に関係する方のみに接続されていればよい。
【００４６】
図示しない反射光検出手段は、光記録媒体１００からの反射光を検出する手段である。この反射光検出手段からの出力に基づいてマークの検出が可能となる。データ復調手段４０４は再生時に上記反射光検出手段により検出されたマークに基づく信号から記録されたデータを復調する手段である。再生に際しては図１１では図示していないが再生クロック生成手段に基づいて生成された再生クロックに同期して再生を行う。反射光検出手段とデータ復調手段４０４の間には必要な信号処理を行う図示しない信号処理手段を設けてもよい。
【００４７】
図１の例と図１１の構成要素との対応関係について説明する。光スポット照射手段は図１では光ヘッド１０２に相当する。レーザ駆動回路１１４まで含めてもよい。磁界印加手段４０１は磁気ヘッド１０３に相当する。磁気ヘッド駆動回路１１６を含めてもよい。データ変調手段４０２はデータ変調回路１１９に相当する。マーク長補正手段４０３は記録長補正回路１２１に相当する。データ復調手段４０４はデータ復調回路１１０に相当する。反射光検出手段は光ヘッド１０２に相当する。信号処理手段は２値化回路１０８に相当する。図１の例ではマーク長補正に関係するのは磁気ヘッド１１７のみであるから、記録長補正回路１２１の出力は磁気ヘッド駆動回路１１６の方のみに入力されている。
【００４８】
【発明の効果】
本発明によれば、再生時にマークとして検出されるべきクロック数に係わらず安定したデータ再生を行うことができる。